(57)【要約】［課題］　　のし瓦積み棟の耐風性、耐震性の強化を図る工法を、本瓦を使用して確保することを得る。［解決手段］　　のし瓦表面に、桟木滑り止め突起部（１０）と冠瓦滑り止め突起部（１１）を取り付け、裏面にのし瓦抑止突起部（１２）を取り付け設け、前後二箇所の緊結穴（８，９）を設けた本瓦を、上下に桟木（１５）を挟んでビス（１８）で留め付ける、各段留め付けと通し留め付け工法で実施すれば、前後左右の動きと浮き上がりを相互に抑止する。【選択図】　　　　　図９
2004060416.tif 000002
【特許請求の範囲】
【請求項１】
のし瓦（１）を使った積み棟の浮き上がり及び横滑りを抑止するために、のし瓦（１）に前側緊結穴（８）と後側緊結穴（９）を設け、次に上下のし瓦（１）の間に挟み込む留め付け用桟木（１５）の横滑りを抑止する桟木滑り止め突起部（１０）と、冠瓦（１４）の横滑りを抑止する冠瓦滑り止め突起部（１１）をのし瓦（１）の表面（２）に取り付け設け、裏面（３）の左右外側寄りにのし瓦抑止突起部（１２）を取り付け設けたのし瓦（１）で、のし瓦積み棟の格段毎に桟木（１５）を挟み留め付ける格段留め付け工法と、最上段のし瓦の上に置く桟木（１５）から棟芯材（１７）迄の間は桟木（１５）は置かず通しで留付けをする通し留め付け工法の上下相互浮き上がり防止のし瓦積み棟工法並びに該工法に用いるのし瓦及びその製造方法。
【請求項２】
のし瓦積み棟の浮き上がりを抑止する前側緊結穴（８）と後側緊結穴（９）を設ける位置は、積み合わせ小口目印（１３）で前後に二等分したそれぞれの中央に設け、その間隔は、前側（４）から前側緊結穴（８）迄の寸法と、後側（５）から後側緊結穴（９）迄の寸法が等しく、又この前後を足した寸法が前側緊結穴（８）から後側緊結穴（９）迄の長さに等しい寸法になるように位置を定め、取り付け設けた請求項１記載の前側緊結穴及び後側緊結穴。
【請求項３】
のし瓦（１）を固定する桟木（１５）が動かないように、前後緊結穴（８，９）の右側（６）に六箇所、左側（７）に六箇所、それぞれを直線上に取り付け設けた請求項１記載の桟木滑り止め突起部。
【請求項４】
冠瓦（１４）の裏側に接するように、のし瓦（１）の表面（２）の右側（６）に四箇所、左側（７）に四箇所、それぞれを直線上に取り付け設けた請求項１記載の冠瓦滑り止め突起部。
【請求項５】
下段側にあるのし瓦（１）の表面（２）に取り付け設けた冠瓦滑り止め突起部（１１）を、上段側のし瓦（１）の裏面に取り付け設けたのし瓦抑止突起部（１２）が、左右から包み込むように横滑りを抑止する請求項記載の、のし瓦抑止突起部。
【請求項６】
のし瓦積み棟に通常使用する棟補強金物（１６）及び棟芯材（１７）を、積み合わせる一段目のし瓦の表面（２）より少し上になる程度に調整後取り付け、次に棟芯材（１７）より上に割らずに積み上げるのし瓦（１）の裏面（３）に取り付けたのし瓦抑止突起部（１２）が、下段側割りのし瓦の桟木滑り止め突起部（１０）と冠瓦滑り止め突起部（１１）の中間に納まるように棟の巾を取り、葺き土（２１）を充分使用し積み合わせ緊結用線（１９）で留め付ける。二段目からは割らずに、桟木（１５）を桟木滑り止め突起部（１０）の内側に置き、前側緊結穴（８）から留め付けビス（１８）を下の棟芯材（１７）に緊結し、葺き土は上下隙間のないよう充分使用する。三段目のし瓦（１）も葺き土を置き、積み合わせ桟木（１５）を置き前側緊結穴（８）より下段にある桟木（１５）に留め付けを行い、四段目も同様にのし瓦（１）を積み合わせ、冠瓦（１４）は最上段のし瓦（１）の表面（２）に設けた冠瓦滑り止め突起部（１１）に引っ掛かるように葺き土を充分置いて伏せ緊結用線（１９）で留め付ければ前後及び斜め上下に棟全体が連鎖する請求項１記載の、上下浮き上がり防止のし瓦格段毎に留め付け積み棟工法。
【請求項７】
割らずに積み合わせた上下のし瓦（１）の緊結穴は正確に棟積みしていけば必ず上段のし瓦（１）の前側緊結穴（８）が、下段側の後側緊結穴（９）に重なるので、棟芯材（１７）から上に割らずに積むのし瓦（１）を三段目四段目と積む場合に、桟木（１５）を置かず葺き土のみで積み合わせ、五段目の表面（２）に桟木（１５）を置き、棟芯材（１７）迄留め付けの出来る長さのビス（１８）で前側緊結穴（８）から四段目の後側緊結穴（９）を通し、次に三段目の前側緊結穴（８）を通して棟芯材（１７）に留め付ければ、上下左右前後に連鎖する留め付けを行った請求項１記載の、上下浮き上がり防止のし瓦通し留め付け積み棟工法。
【発明の詳細な説明】
【０００１】
［発明の属する技術分野］
本発明は、瓦葺き屋根の棟部分が、台風、地震等による被害を受けることを防止する目的をもって、のし瓦の前後二箇所に留め付け穴を設け緊結すことによって浮き上がりを抑止し、さらに表面と裏面に横滑りを抑止する突起部を取り付け設けたのし瓦をもって、棟の一体化を図るのし瓦積み棟工法並びにその用いるのし瓦及びその製造方法に関するものである。
【０００２】
［従来の技術］
平成１３年８月１３日発行の瓦屋根標準施工ガイドライン標準工法のし瓦積み棟によれば、山形金物等の補強金物を、桟木又は下地の棟部に所定の間隔で固定する、その受け金物に棟補強用芯材を取り付け、葺き土を使用してのし瓦を積み上げながら、のし瓦の左右を緊結用線で緊結し所定の棟高さとする。最上段ののし瓦の上に冠瓦幅の６割程度葺き土を置き、冠瓦を伏せパッキン付きステンレスネジで留め付ける。となっております。
【０００３】
［発明が解決しようとする課題］
従来のし瓦積み棟は、葺き土と、左右緊結用線を用いての緊結、さらに最上段冠瓦をパッキン付ステンレスネジで留付けるよう棟芯材を高い棟にあっては、棟の上段近く迄高く取り付けるため、棟芯材より下段側のし瓦は、葺き土と左右緊結用線の緊結のみで、緊結用線が緩んだり、切れた場合は、棟の一体化が崩れやすくなることが多く、これを解決しなければならない。
【０００４】
本発明は、従来の技術をもってするのし瓦積み棟工法の、耐震性、耐風性強度をさらに高めるために、開発した工法とその用いるのし瓦及びその製造方法を提供することを目的としている。
【０００５】
［課題を解決するための手段］
上記目的を達成するため、本発明ののし瓦積み棟工法においては、棟芯材より上に積むのし瓦を割らずに使用する。のし瓦四段積み棟にあっては上方三段ののし瓦を割らずに棟芯材及び各段の桟木に各段毎の留め付けを行い、のし瓦五段積み棟は棟芯材の高さ迄割りのし瓦二段を積み合わせ、それより上方三段、四段、五段目のし瓦は割らずに葺き土を使用して積み合わせ、最上段のし瓦の上に置いた桟木より棟芯材迄を通しで留め付けをする。又のし瓦七段積み棟も棟芯材迄割りのし瓦二段を積み、棟芯材より三段目、四段目を通し留め付けと各段留め付けの併用で積み、五段目、六段目、七段目のし瓦は各段毎にすべて前側緊結穴から桟木を通して留め付けをする。
【０００６】
上記二箇所の緊結穴の位置は、上段のし瓦の前側緊結穴を、下段のし瓦の後側緊結穴の位置に重なるよう正確に設けることにより、留め付けたビスが上下斜めに連鎖し緊結を図り、又緊結穴の大きさは、留め付けビスがのし瓦に接触しないよう充分の広さにすることが必要である。
【０００７】
そして、留め付けたビスの横振れを防ぐため緊結穴の上に桟木を置き、その桟木が横に滑らないように突起部を緊結穴の両側に取り付ける。
【０００８】
さらに、留め付ける桟木の長さを、上段から棟芯材迄三段積み通し留め付けで行う場合は、四枚程度ののし瓦に跨る長さのものを使用すれば、連鎖の効果が高くなる。
【０００９】
又、のし瓦の表面外側左右に設ける冠瓦滑り止め突起部は、冠瓦を、緊結用線留め付けで充分な横滑り防止の効果が得られるから、冠瓦の下端裏側が接するよう隙間を少なくするとよい。
【００１０】
さらに、冠瓦滑り止め突起部は、のし瓦の裏面外側寄りに取り付け設けたのし瓦滑り止め突起部が抑止して、上下のし瓦の横滑りを抑止し、又、割りのし瓦として施工しても一段目、二段目のし瓦の横滑りを抑止する効果が得られる。
【００１１】
本発明ののし瓦を使いのし瓦積み棟の施工をすれば、上下に積み合わせたのし瓦が上段斜め前のし瓦及び下段斜め後側のし瓦に互いに組み合わされ、横滑りの抑止と浮き上がりが防止されて、のし瓦積みの一体化がさらに強化されて、耐水平力に対する耐力が確保出来る。
【００１２】
［発明の実施の形態］
発明の実施の形態を実施例にもとづき図面を参照して説明する。
図１において、のし瓦の表面にある積み合わせ小口目印１３から、前側半分と後側半分の二つに分けて、それぞれの中央に前側緊結穴８と後側緊結穴９をつくる、その位置は前側４から前側緊結穴８の縁迄の長さと、後側５から後側緊結穴９の縁迄の長さを加えた寸法と、前側緊結穴８の中央寄り縁から後側緊結穴９の中央寄り縁迄の寸法が等しくなる位置に設け、前側緊結穴８，９の左右両側に桟木滑り止め突起部１０を、桟木の巾よりやや広く、片側直線上に六箇所左右合わせて十二箇所に取り付け設け、さらにその外側に、のし瓦の表面に伏せた状態の冠瓦下端部内側が接する位置に冠瓦滑り止め突起部１１を、片側直線上に四箇所左右合わせて八箇所の突起部として取り付ける。そして図２ののし瓦裏面に表面の外側に取り付け設けた冠瓦滑り止め突起部１１を包み込むように抑止する、のし瓦抑止突起部１２として、葺き合わせた下段のし瓦の冠瓦滑り止め突起部の外側に接する位置に取り付け設ける。
【００１３】
図３に示される実施例は、前側右斜め上から見たのし瓦斜視図で、前後緊結穴８，９と桟木滑り止め突起部１０と冠瓦滑り止め突起部１１を取り付け設けた状態を示す。
【００１４】
図４に示される実施例は、のし瓦の裏面３に取り付けられたのし瓦抑止突起部１２が、下段側のし瓦に取り付けられた冠瓦滑り止め突起部１１を二箇所抑止する位置に取りつけられているのを示している。
【００１５】
図５に示される実施例は、一段目割りのし瓦を葺き土を充分使用し銅線で緊結をし、表面２が取り付けた棟芯材上面と略同じ位置になるように積み合わせ、二段目、三段目、四段目と割らずに積み込むのし瓦の表面にそれぞれ桟木１５を置き各段毎に、前側緊結穴８から下段にある桟木にビスで留め付けをした、のし瓦各段毎に留め付け積み棟工法の左右断面図である。
【００１６】
図６に示される実施例は、各段毎に留め付ける緊結用ビスが、桟木を通して前後、斜め上下雁行状に連鎖する状態を示したもので、棟芯材から最上段のし瓦の上に置く桟木迄を示した棟方向断面図である。
【００１７】
図７に示される実施例は、割りのし瓦をもって葺き土を使い銅線緊結施工した二段目のし瓦の表面が、棟芯材１７上面と略同じくらいの位置になるよう積み合わせ、三段目より上ののし瓦の間には葺き土を使い桟木を置かず、最上五段目のし瓦の上に桟木を置き前側緊結穴８より棟芯材１７迄通しでビス留め緊結を行った状態を示した、通し留め付けのし瓦積み棟工法の左右断面図である。
【００１８】
図８に示される実施例は、棟芯材上面より五段目のし瓦上に置く桟木迄の棟方向断面図で、中間に桟木がなく葺き土を使い通し留め付けをして、上下の緊結を行っている状態を図示したものである。
【００１９】
図９に示される実施例は、のし瓦七段積みで棟が高く、そのため通し留め付けと各段毎に留め付けを併用した積み棟工法である。棟芯材１７上面が二段めのし瓦表面より少し上になるよう充分葺き土を使用して積み合わせ銅線にて緊結し、三段目のし瓦から上に桟木を置き前側緊結穴８より棟芯材１７迄ビスで留め付けを行い、次に四段目のし瓦上の桟木から三段目の桟木を通して、前側緊結穴８から棟芯材迄通し留め付けをし、五段目、六段目、七段目のし瓦は各段毎に桟木を置き各段毎に留め付けをした二つの工法併用棟の左右断面図である。
【００２０】
図１０に示される実施例は、三段目のし瓦が各段毎に留め付ける方法と、通し留め付けの併用工法で前後緊結穴８，９を両方留め付けられており、又五段目、六段目、七段目のし瓦は各段毎に留め付けをされた状態を示した、棟方向断面図である。
【００２１】
［発明の効果］
本発明は、以上説明したように構成されているので、以下に記載されるような効果を奏する。
【００２２】
のし瓦を積み合わせた状態で、のし瓦の表面に取り付けた桟木が、のし瓦と留め付けビスの緩衝材の働きをして、地震等の衝撃の際に起きるのし瓦の留め付けビスによる破損を押えることが出来る。
【００２３】
さらに、留め付けビスが棟方向に桟木を通して、前側、後側、及び斜め上下に連鎖状の緊結効果を発揮し、棟の一体化と水平耐力を強固なものにしている。
【００２４】
しかも、のし瓦積み棟の基礎となる一段目のし瓦と二段目のし瓦は、棟補強金物に固定された棟芯材の両側に積み込むから、一段目と二段目の瓦の水平耐力が非常に強固なものになり、その上冠瓦滑り止め突起部とのし瓦抑止突起部が互いを抑制するから安定したのし瓦積み棟が出来る。
【００２５】
そして、基礎部分の棟芯材から上部に積み合わせるのし瓦は、確実に下段側に留め付けビスをもって一枚毎に緊結され、その緊結されたビスは外気に触れることがないから結露の心配もない。
【００２６】
又、最上段のし瓦表面に設けてある冠瓦滑り止め突起部が、冠瓦の左右下端部内側をしっかりと抑止し横滑りが起きない、したがって、最上段のし瓦の表面にある桟木に銅線を巻きつけたもので留め付ければよく、ビス留めの際に起きやすい結露の心配がなくなる。
【００２７】
そのうえ、のし瓦に取り付け設けた冠瓦滑り止め突起部の効果は、試験段階で冠瓦を留め付けをせず葺き土も使わず、単にのし瓦の上に置いた状態で、これを静かに９０°傾けても冠瓦が脱落することがなかった。
【００２８】
そして、従来あるのし瓦の製造工程を大きく変えることなく、二箇所の緊結穴、桟木滑り止め突起部、冠瓦滑り止め突起部、及びのし瓦抑止突起部をもつ本発明ののし瓦が製造出来る。
【００２９】
したがって、本発明ののし瓦各段留め付け工法と通し留め付け工法を、前記のし瓦をもって実施すれば、耐風性、耐震性のある棟を構成し、棟全体の一体化が図れ対水平力に対する耐力を確保する効果がある。
【図面の簡単な説明】
【図１】のし瓦の表側平面図である。
【図２】のし瓦の裏側底面図である。
【図３】前側右斜め上からの斜視図である。
【図４】裏側左斜め上からの斜視図である。
【図５】のし瓦四段積み棟の前側緊結穴位置における各段留め付け工法の横断面図である。
【図６】のし瓦四段積み、棟芯材位置から最上段のし瓦留め付け桟木迄各段留め付け工法の棟方向断面図である。
【図７】のし瓦五段積み棟の前側緊結穴位置における通し留め付け工法の横断面図である。
【図８】のし瓦五段積み、棟芯材位置から最上段のし瓦留め付け桟木迄通し留め付け工法の、棟方向断面図である。
【図９】のし瓦七段積み棟の通し留め付け工法と、各段留め付け工法併用の状態を示した横断面図である。
【図１０】のし瓦七段積み、棟芯材位置から最上段のし瓦留め付け桟木迄の、通し留め付け工法と各段留め付け工法併用の、棟方向断面図である。
【符号の説明】
１．　　　のし瓦
２．　　　表面
３．　　　裏面
４．　　　前側
５．　　　後側
６．　　　右側
７．　　　左側
８．　　　前側緊結穴
９．　　　後側緊結穴
１０．　　　桟木滑り止め突起部
１１．　　　冠瓦滑り止め突起部
１２．　　　のし瓦抑止突起部
１３．　　　積み合わせ小口目印
１４．　　　冠瓦
１５．　　　桟木
１６．　　　棟補強金物
１７．　　　棟芯材
１８．　　　ビス
１９．　　　緊結用線
２０．　　　のし瓦割り線
２１．　　　葺き土
２２．　　　面戸漆喰
２３．　　　瓦引掛桟木
２４．　　　ルーフィング
２５．　　　野地板
２６．　　　桟瓦
【図１】
2004060416.tif 000003
【図２】
2004060416.tif 000004
【図３】
2004060416.tif 000005
【図４】
2004060416.tif 000006
【図５】
2004060416.tif 000007
【図６】
2004060416.tif 000008
【図７】
2004060416.tif 000009
【図８】
2004060416.tif 000010
【図９】
2004060416.tif 000011
【図１０】
2004060416.tif 000012
【手続補正書】
【提出日】平成14年10月21日(2002.10.21)
【手続補正１】
【補正対象書類名】明細書
【補正対象項目名】請求項４
【補正方法】変更
【補正の内容】
【請求項４】
葺き合わせた冠瓦（１４）の重心と、のし瓦（１）の重心の中間にある棟に対して水平な中線上で、冠瓦（１４）の裏側面に当接し冠瓦（１４）の支点になる位置に、のし瓦（１）の表面（２）右側（６）に四箇所、左側（７）に四箇所、それぞれ取り付け設けた請求項１記載の冠瓦滑り止め突起部。
【手続補正２】
【補正対象書類名】明細書
【補正対象項目名】請求項５
【補正方法】変更
【補正の内容】
【請求項５】
下段側にあるのし瓦（１）の表面（２）に取り付け設けた冠瓦滑り止め突起部（１１）を、上段側のし瓦（１）の裏面（３）に取り付け設けたのし瓦抑止突起部（１２）が、上下のし瓦（１）の重心の中間にある棟に対して水平な中線上にあり、左右から横滑りを抑止する支点となる請求項１記載ののし瓦抑止突起部。
【手続補正３】
【補正対象書類名】明細書
【補正対象項目名】０００１
【補正方法】変更
【補正の内容】
【０００１】本発明は、瓦葺き屋根の棟部分が、台風、地震等による被害をを受けることを防止する目的をもって、のし瓦の前後二箇所に留め付け穴を設け緊結することによって浮き上がりを抑止し、さらに積み合わせたのし瓦（１）の重心の中間にある水平な中線上に、横滑りを抑止する支点となる突起部を取り付け設けたのし瓦をもって、棟の一体化を図るのし瓦積み棟工法並びにその用いるのし瓦及びその製造方法に関するものである。


【手続補正４】
【補正対象書類名】明細書
【補正対象項目名】００２７
【補正方法】変更
【補正の内容】
【００２７】そのうえ、のし瓦に取り付け設けた冠瓦滑り止め突起部の効果は、試験段階で冠瓦を留め付けをせず葺き土も使わず、単にのし瓦の上に置いた状態で、これを静かに９０°傾けても冠瓦が脱落することがなく、さらにのし瓦も脱落しなかった。